(57)【要約】      （修正有）【課題】簡易包装式収納容器として紙、樹脂シートを使用した収納容器など贈答品、食品、雑貨などの包装容器で、軽量であって、簡易に包装、収納できる簡易包装式収納容器を提供する。【解決手段】０．１〜１．５ｍｍ厚さの紙製、又は樹脂製シート２によって、２〜８ｍｍ厚さ、一辺で３０〜４００ｍｍ縦長さ、３０〜４００ｍｍ横長さの長方形、正方形、台形、及び直径の３０〜２００ｍｍの円形、及び一辺１０〜５０ｍｍの多角形から選ばれた木製板、紙製板、樹脂板の２枚の二並列縦枠と必要に応じて１〜２枚の長方体横枠の枠組体にして、前記シートを二並列縦枠と必要に応じた１〜２枚の横枠からなる枠組体に全面、又は横枠のない部分に巻くように覆っていた縦幅３０〜４００ｍｍ、横幅３０〜４００ｍｍ、高さ幅２０〜２００ｍｍで、７５ｍＬ〜２Ｌの容積。【選択図】図１
0003222113.tif 000002
【実用新案登録請求の範囲】
【請求項１】
０．１〜１．５ｍｍ厚さの紙製、又は樹脂製シートによって、２〜８ｍｍ厚さ、一辺で３０〜４００ｍｍ縦長さ、３０〜４００ｍｍ横長さの長方形、正方形、台形、及び直径の３０〜２００ｍｍの円形、及び一辺１０〜５０ｍｍの多角形から選ばれた木製板、紙製板、樹脂板の２枚の二並列縦枠と必要に応じて１〜２枚の長方体横枠の枠組体にして、前記シートを二並列縦枠と必要に応じた１〜２枚の横枠からなる枠組体に全面、又は横枠のない部分に巻くように覆っていた縦幅３０〜４００ｍｍ、横幅３０〜４００ｍｍ、高さ幅２０〜２００ｍｍで、７５ｍＬ〜２Ｌの容積であることを特徴する簡易包装式収納容器。
【請求項２】
紙製シートは、一般的包装用紙の０．５〜１．５ｍｍ厚さ、又は樹脂製シートは、ポリオレフィン系、又は塩化ビニル系の樹脂の０．１〜０．５ｍｍ厚さであって、紙製シートとしては片面の表面に種々の模様を印刷されて、樹脂製シートとして透明、或いは不透明なものであって、表面には部分的に特定な模様、文字、図柄の印刷を施した、幅３０〜４００ｍｍ、長さ１５０〜１２００ｍｍの前記シートを使用していることを特徴する請求項１に記載の簡易包装式収納容器。
【請求項３】
紙製、又は樹脂製シートを捲着した包装容器は、食品類及び雑貨類を包装するものであって、形状として正方体、長方体、台形体、円形体、多角形体で、木製板、又は紙製、又は樹脂製板材の２枚の二並列縦枠と必要に応じて１〜２枚の長方体横枠の枠組体に沿って前記紙製、又は樹脂製シートを枠組体に全面、又は横枠のない部分で周囲の外面を覆っている容器における底部、および蓋部、および部分的側部を形成して、前記二並列枠組体の縁面の１〜３個所に前記シートの縁部を接着した容器にして、接着のない一面を薄平板の蓋部にして、蓋部に当たる部分に装飾模様をプリントしていることを特徴する請求項１、又は請求項２のいずれかに記載の簡易包装式収納容器。
【請求項４】
薄紙製、又は樹脂製シート包装用具における２〜５ｍｍ厚さの木製、又は紙製、又は樹脂製板材の枠組体は、一辺で３０〜４００ｍｍ縦長さ、３０〜４００ｍｍ横長さの長方形体、正方形体、台形体、及び直径の３０〜２００ｍｍの円形、及び一辺１０〜５０ｍｍの多角形体のから選ばれた形状であって、２枚の二並列縦枠と必要に応じて１〜２枚の長方体横枠になっており、軽量を主体にするときは発砲スチロール材で製作されていることを特徴とする請求項１〜請求項３のいずれかに記載の簡易包装式収納容器。
【考案の詳細な説明】
【技術分野】
【０００１】本発明は、簡易包装式収納容器として紙、樹脂シートを使用した収納容器など贈答品、食品、雑貨などの包装容器に関し、更に詳しくは、軽量であって、簡易に包装、収納できる簡易包装式収納容器に関する。
【背景技術】
【０００２】製造時に使用する容器をそのまま包装用容器とすることで、調理作業の簡素化、並びにコスト削減を図ることができる加熱・加湿調理用の容器兼用の木製包装容器を開発・提供するために、容器本体の両端部を、該薄板材の木目と同一方向に一体に設け、さらに、前記底部に連なる縁部も、底部と一体に設け、これら縁部には、それぞれ両端部の外側で連結する連結片を縁部の両端に一体に設け、これら連結片には、連結用のスリットを設けた木製包装容器が提案されている（特許文献１参照）。【０００３】少なくとも周側枠を構成する板材が木製材料や豆科、草科の材料を用いて形成される包装用容器において、板材の固定を簡単に行うことができると共に、包装用容器の少なくとも周側枠が木製材料や豆科、草科の材料からなり、周側枠を構成する板材の突合せ部が合成樹脂製の固定部材によって接合されており、固定部材が硬質プラスチック製釘状部材であっても良く、さらに、板材への打込み部分となる表面に熱可塑性の接着剤で使用されるものが提案されている（特許文献２参照）。【０００４】吸湿作用、雑菌繁殖抑制作用及び保温作用を兼ね備えた食品用包装箱を提供するために、一端を開口した筒状本体の他端部側を底板で閉塞した食品用包装箱であって、本体は発泡樹脂製の板材で構成すると共に底板は木製の板材で構成する。本体の内側壁面における他端部側近くに沿って係合溝を形成し、底板は、その周縁を前記溝に係合して本体に固着して取付けて、前記包装箱を構成するものが提案されている（特許文献３参照）。【０００５】突沸を防止するとともに、電子レンジによる加熱時間を短くできる樹脂製容器を提供に対して、容器には液体が充填され、包装体は電子レンジにより加熱される。容器は、マイクロ波透過材により形成され、合成樹脂、紙、はマイクロ波透過材である。容器は、底部と胴部を備えた樹脂容器内面であって、液面相当位置以下の位置に、マイクロ波発熱材が設けられているものが提案されている（特許文献４参照）。【０００６】容器の材質が、ノニオン樹脂性とチタン、ノニオン樹脂とアクリル樹脂とチタン、ノニオン樹脂、アクリル樹脂、紙、パルプ、トウモロコシ、及びチタンの混合物からなる。容器形状とは、内部に物を入れることができる全てのものを言い、袋状、箱状、カップ状等の好適なものを含む。内部には、お菓子その他の好適な物を入れることができる。いずれも上部を閉じることにより内部に入れたお菓子等がこぼれないようにすることができることが提案されている（特許文献５参照）。【０００７】簡易包装式収納容器として紙、樹脂シートを使用した収納容器など贈答品、食品、雑貨などの包装容器に、軽量であって、簡易に包装、収納できる簡易包装式収納容器として、殺菌性で衛生的な紙製、樹脂製であって、簡単に使用できる包装用具は存在していない。また組み立てができるので、多量に保管ができる。また被覆した薄板一枚でできているために、使用中でも汚れを簡単にふき取ることもできるものも見当たらない。
【先行技術文献】
【特許文献】
【０００８】
【特許文献１】実用新案登録第３０７７４１９号公報
【特許文献２】特開２００４−６７１８０号公報
【特許文献３】実用新案登録第３１５５９８１号公報
【特許文献４】特開２０１６−２１０４６３号公報
【特許文献５】特開２００５−２０６２３９号公報
【考案の概要】
【考案が解決しようとする課題】
【０００９】本考案においては、簡易包装式収納容器において、紙製、樹脂製であって、それ自身抗菌性も少なく、また、容器自身使い捨てができる状態であった。また容器自身加工性が高く、衛生的、自然感の見地からしても好ましいものであった。また形状も範囲が狭く、特定化していた。さらに包装用具としてデザイン性と自然観を高めることができる。【００１０】本考案はこのような従来の問題点に鑑みてなされたもので、食品、雑貨、贈答品を包装、収納する場合に、樹脂製、紙製板使用食品包装用具に簡単に贈答品、雑貨、食品を包装することができて、また樹脂、紙とその殺菌性で衛生的な薄平板の包装用具で、食品、雑貨、贈答などを収納、包装できて、装飾性模様を表面にプリントできて、汚れを簡単にふき取ることもできる容器が期待されている。特に簡単に包装ができて、使い捨ても容易であり、しかも装飾性であって、衛生的な食事用具、雑貨用具を提供することを目的としたものである。
【課題を解決するための手段】
【００１１】０．１〜１．５ｍｍ厚さの紙製、又は樹脂製シートによって、２〜８ｍｍ厚さ、一辺で３０〜４００ｍｍ縦長さ、３０〜４００ｍｍ横長さの長方形、正方形、台形、及び直径の３０〜２００ｍｍの円形、及び一辺１０〜５０ｍｍの多角形から選ばれた木製板、紙製板、樹脂板の２枚の二並列縦枠と必要に応じて１〜２枚の長方体横枠の枠組体にして、前記シートを二並列縦枠と必要に応じた１〜２枚の横枠からなる枠組体に全面、又は横枠のない部分に巻くように覆っていた縦幅３０〜４００ｍｍ、横幅３０〜４００ｍｍ、高さ幅２０〜２００ｍｍで、７５ｍＬ〜２Ｌの容積である簡易包装式収納容器である。【００１２】紙製シートは、一般的包装用紙の０．５〜１．５ｍｍ厚さ、又は樹脂製シートは、ポリオレフィン系、又は塩化ビニル系の樹脂の０．１〜０．５ｍｍ厚さであって、紙製シートとしては片面の表面に種々の模様を印刷されて、樹脂製シートとして透明、或いは不透明なものであって、表面には部分的に特定な模様、文字、図柄の印刷を施した、幅３０〜４００ｍｍ、長さ１５０〜１２００ｍｍの前記シートを使用している。【００１３】紙製、又は樹脂製シートを捲着した包装容器は、食品類及び雑貨類を包装するものであって、形状として正方体、長方体、台形体、円形体、多角形体で、木製板、又は紙製、又は樹脂製板材の２枚の二並列縦枠と必要に応じて１〜２枚の長方体横枠の枠組体に沿って前記紙製、又は樹脂製シートを枠組体に全面、又は横枠のない部分で周囲の外面を覆っている容器における底部、および蓋部、および部分的側部を形成して、前記二並列枠組体の縁面の１〜３個所に前記シートの縁部を接着した容器にして、接着のない一面を薄平板の蓋部にして、蓋部に当たる部分に装飾模様をプリントしている。【００１４】薄紙製、又は樹脂製シート包装用具における２〜５ｍｍ厚さの木製、又は紙製、又は樹脂製板材の枠組体は、一辺で３０〜４００ｍｍ縦長さ、３０〜４００ｍｍ横長さの長方形体、正方形体、台形体、及び直径の３０〜２００ｍｍの円形、及び一辺１０〜５０ｍｍの多角形体のから選ばれた形状であって、２枚の二並列縦枠と必要に応じて１〜２枚の長方体横枠になっており、軽量を主体にするときは発砲スチロール材で製作されている。
【考案の効果】
【００１５】本考案は上述のように構成された紙製、又は樹脂製シートによって紙製板、樹脂板の２枚の二並列の枠組体にして、前記シートを二並列の枠組体の全面に巻くように覆っていた容積を持つ簡易包装式収納容器であって、非常に新鮮味を持ち、また材料独自の防菌、殺菌作用によって非常に安全安心である。樹脂シート被覆加工しているために汚れを簡単にふき取ることもできる。また蓋になる紙製、樹脂製での表面部分にはプリント模様を呈することができて、食品、雑貨などを簡単に衛生的に収納できる包装式収納容器として効果を奏する。【００１６】更に、包装式収納容器を種々の形状にしており、特殊な紙、樹脂材料にて形成されており、食品、贈答品、雑貨を簡単に装飾的に包装できるともに、清潔に食品、雑貨、贈答品、生ものを簡単に包装することができ、しかも衛生的な被覆木製シートを提供できるために、汚れを少なくする効果を奏する。また、本考案の紙、樹脂材料にて形成することによった容器等は、材料として安価な間伐材、廃材を使用できて、大量生産に適し、価格も低廉なものとして需要者に供給できる。
【図面の簡単な説明】
【００１７】
【図１】簡易包装式収納容器における透明フルムを使用した正方形体容器の斜視図  Ａ：容器  Ｂ：食品を充填
【図２】簡易包装式収納容器における台形体容器の斜視図
【図３】簡易包装式収納容器における八角形体容器の斜視図  Ａ：容器  Ｂ：食品を充填
【図４】簡易包装式収納容器における円形体容器の斜視図
【考案を実施するための形態】
【００１８】次に本考案に係る箸袋の実施の一例の図面を参照しながら説明する。図１は、木製薄板使用食品包装用具と正方形体容器の斜視図、図２は、台形体容器、図３は、八角形体容器、図４は、円形体容器である。
【実施例１】
【００１９】図１Ａに示すように０．５ｍｍ厚さの透明樹脂製シートによって、５ｍｍ厚さ、５０ｍｍ縦長さ、５０ｍｍ横長さの略正方形樹脂板の２枚の二並列の枠組体にして、前記シートを二並列の枠組体の全面に巻くように覆っていた縦幅５０ｍｍ、横幅６０ｍｍ、高さ幅２５ｍｍで、７５ｍＬの容積である簡易包装式収納容器であった。【００２０】樹脂製シートは、ポリプロピレン系の樹脂の０．５ｍｍ厚さであって、樹脂製シートとして透明なものであって、表面には部分的に特定な模様の印刷を施した、幅５０ｍｍ、長さ１６０ｍｍの前記シートを使用している。【００２１】透明樹脂製シートを捲着した包装容器は、食品類及び雑貨類を包装するものであって、形状として長方体の樹脂製板材の２枚の二並列の枠組体に沿って前記透明樹脂製シートを周囲全体の外面を覆っている容器の底部、および蓋部、および部分的側部を形成して、前記枠組体の縁面の３個所に前記シートの縁部を接着した容器にして、接着のない一面を薄平板の蓋部にした。【００２２】透明樹脂製シート包装用具は、３ｍｍ厚さの樹脂製板材の枠組体を５０ｍｍ幅、２５ｍｍ長さにした、長方体形状であって、軽量を主体のときは発砲スチロールである。図１Ｂのようにしていちごを収納した。
【実施例２】
【００２３】図２に示すように０．５ｍｍ厚さ、横幅１５０ｍｍ、長さ幅３００ｍｍの紙製シートによって、４ｍｍ厚さ、上部１００ｍｍ、下部８０ｍｍ縦長さ、５０ｍｍ高さの台形発砲スチロール樹脂板の２枚の二並列の枠組体にして、前記シートを二並列の枠組体の全面に巻くように覆っていた上部の縦幅１００ｍｍ、下部縦幅８０ｍｍ、高さ幅５０ｍｍで、約６８０ｍＬの容積である簡易包装式収納容器であった。【００２４】紙製シートは、一般的包装用紙の０．５ｍｍ厚さであって、紙製シートとしては片面の表面に木の杢目模様を印刷されて、幅１５０ｍｍ、長さ３００ｍｍの前記シートを使用した。【００２５】紙製を捲着した包装容器は、食品類及び雑貨類を包装するものであって、形状として台形体で、紙製板材の２枚の二並列の枠組体に沿って前記紙製シートを周囲全体の外面を覆っている容器の底部、および蓋部、および部分的側部を形成して、前記枠組体の縁面の３個所に前記シートの縁部を接着した容器にして、接着のない一面を薄紙平板の蓋部にして、蓋部に当たる部分に部分的に花装飾模様をプリントした。【００２６】薄紙製シート包装用具は、４ｍｍ厚さの木目模様を施した樹脂製板状材の枠組体を逆台形で上部１００ｍｍ幅、下部８０ｍｍ幅にした台形体の形状であって、軽量を主体のときは発砲スチロールの樹脂であった。この容器に５個饅頭を入れて菓子容器にした。
【実施例３】
【００２７】図３Ａで示すように０．５ｍｍ厚さの紙製シートによって、５ｍｍ厚さで一辺４０ｍｍの八角形樹脂板の２枚の二並列の枠組体にして、前記シートを二並列の枠組体の全面に巻くように覆っていた縦幅２００ｍｍ、高さ１００ｍｍで、１．５Ｌの容積である簡易包装式収納容器であった。【００２８】紙製シートは、一般的包装用紙の０．５ｍｍ厚さであって、紙製シートとしては片面の表面に種々の木目模様を印刷されて、表面には部分的に特定な模様、文字、図柄の印刷を施した、幅２００ｍｍ、長さ３５０ｍｍの前記シートを使用した。【００２９】紙製シートを捲着した包装容器は、食品類及び雑貨類を包装するものであって、形状として八角形体で，発砲スチロール樹脂製板材の２枚の二並列の枠組体に沿って前記紙製シートを周囲全体の外面を覆っている容器の底部、および蓋部、および部分的側部を形成して、前記枠組体の縁面の３個所に前記シートの縁部を接着した容器にして、接着のない一面を薄平板の蓋部にして、蓋部に当たる部分に装飾模様をプリントした。【００３０】樹脂製シート包装用具は、４ｍｍ厚さの樹脂製板材の枠組体を一辺４０ｍｍの正八角形体から選ばれた形状であって、軽量を主体のときは発砲スチロール樹脂であった。これにむすびを５個入れて、図３Ｂのように巻いて、紐で結んで容器とした。
【実施例４】
【００３１】図４で示すように０．５ｍｍ厚さの紙製シートによって、５ｍｍ厚さで一辺４０ｍｍの円形樹脂板の２枚の二並列の枠組体にして、前記シートを二並列の円形枠組体の全面に巻くように覆っていた縦幅１５０ｍｍ、直径８０ｍｍで、７５０ｍＬの容積である簡易包装式収納容器であった。【００３２】紙製シートは、一般的包装用紙の０．４ｍｍ厚さであって、紙製シートとしては片面の表面に種々の花模様を印刷されて、表面には部分的に特定な模様、文字、図柄の印刷を施した、幅１５０ｍｍ、長さ３２０ｍｍの前記シートを使用した。【００３３】紙製シートを捲着した包装容器は、食品類及び雑貨類を包装するものであって、形状として円形体で，発砲スチロール樹脂製板材の２枚の二並列の枠組体に沿って前記紙製シートを周囲全体の外面を覆っている容器の底部、および蓋部、および部分的側部を形成して、前記枠組体の縁面の３個所に前記シートの縁部を接着した容器にして、接着のない一面を薄平板の蓋部にした。【００３４】樹脂製シート包装用具は、４ｍｍ厚さの樹脂製板材の枠組体を半径４０ｍｍの円形体の形状であって、軽量を主体のときは発砲スチロール樹脂であった。これに団子を５個入れて、シートを巻いて、紐で結んで団子容器とした。
【符号の説明】
【００３５】１．樹脂平板
２．樹脂シート
３．薄紙シート
４．発砲スチロール側板
５．紙平板
６．花模様
７．接着
８．木目
９．紐
１０．食品（いちご）
１１．衣料
１２．おにぎり
１３．卵焼き
【図１】
0003222113.tif 000003
【図２】
0003222113.tif 000004
【図３】
0003222113.tif 000005
【図４】
0003222113.tif 000006